(57)【要約】【課題】使い勝手の向上を図る上で有利なプロジェクタ装置を提供する。【解決手段】プロジェクタ装置１０は、ケース１２と、光源４４と、映像投影部４６を含んで構成されている。映像投影部４６は、光源４４の光から画像投影光束を生成してケース１２に設けられた開口部１４から出射し画像をスクリーン２に投影する。光源４４と映像投影部４６はケース１２の内部に配置されている。光漏洩部６０Ａは、シャッター１６が前記閉塞位置に位置した状態で、光源４４の光の一部または映像投影部４６から出射される光の一部をケース１２の外部に漏らし、電源スイッチ３２が投入されている状態であることを知らしめるためのものである。光漏洩部６０Ａは、開口部１４の縁とシャッター１６との間に形成された隙間で構成され、映像投影部４６から出射される光の一部をケース１２の前壁１２Ａの前方に漏らすように設けられている。【選択図】図８
2010175605.tif 000002
【特許請求の範囲】
【請求項１】
ケースと、
前記ケースの内部に設けられ電源の投入により発光する光源と、
前記ケースに設けられた開口部と、
前記光源の光から画像投影光束を生成して前記開口部から出射し画像をスクリーンに投影する映像投影部と、
前記ケースに設けられ前記開口部を閉塞する閉塞位置と前記開口部を開放する開放位置とに移動されるシャッターとを備え、
前記シャッターが前記閉塞位置に位置した状態で、前記光源の光の一部または前記映像投影部から出射される光の一部を前記ケースの外部に漏らし前記光源に前記電源が投入されている状態であることを知らしめる光漏洩部が設けられている、
プロジェクタ装置。
【請求項２】
前記光漏洩部は、前記開口部の縁と前記シャッターとの間に形成された隙間で構成され、
前記映像投影部から出射される光の一部が前記隙間から漏れる、
請求項１記載のプロジェクタ装置。
【請求項３】
前記隙間は、前記シャッターの外周部に形成された切り欠きと、前記開口部の縁とで形成されている、
前記映像投影部から出射される光の一部が前記隙間から漏れる、
請求項２記載のプロジェクタ装置。
【請求項４】
前記隙間は、前記開口部の縁に形成された切り欠き部と、前記シャッターの外周部とで形成され、
前記映像投影部から出射される光の一部が前記隙間から漏れる、
請求項２記載のプロジェクタ装置。
【請求項５】
前記シャッターは前記開口部よりも小さい面積で形成され、
前記隙間は、前記閉塞位置において、前記シャッターの外周部と前記開口部の縁との間に環状に形成され、
前記映像投影部から出射される光の一部が前記環状の隙間から漏れる、
請求項２記載のプロジェクタ装置。
【請求項６】
前記シャッターの外周部に、前記閉塞位置において、光が通過するに足る寸法の直径を有する貫通孔が設けられ、
前記光漏洩部は、前記貫通孔で構成されている、
請求項１記載のプロジェクタ装置。
【請求項７】
前記開口部の周囲の前記ケースの箇所に、光が通過するに足る寸法の直径を有する貫通孔が設けられ、
前記光漏洩部は、前記貫通孔で構成されている、
請求項１記載のプロジェクタ装置。
【請求項８】
前記シャッターの一部に、光を透過する材料で形成された光透過部が設けられ、
前記光漏洩部は前記光透過部で構成され、
前記映像投影部から出射される光の一部が前記光透過部から漏れる、
請求項１記載のプロジェクタ装置。
【請求項９】
前記ケースに、前記シャッターを前記閉塞位置と前記開放位置との間で移動させる操作部材が設けられ、
前記ケースに長孔が形成され、
前記操作部材は、前記ケースの内部に位置し前記シャッターに連結される内部部分と、前記内部部分から突設され前記長孔を貫通してケースの外部に突出する操作部とを備え、
前記内部部分に、前記閉塞位置で前記長孔を閉塞する閉塞板部が設けられ、
前記光漏洩部は、前記閉塞位置で前記長孔を閉塞する閉塞板部の箇所に設けられている、
請求項１記載のプロジェクタ装置。
【請求項１０】
前記閉塞位置で前記長孔を閉塞する閉塞板部の箇所に、光を透過する材料で形成された光透過部が設けられ、
前記光漏洩部は前記光透過部で構成されている、
請求項９記載のプロジェクタ装置。
【請求項１１】
前記閉塞位置で前記長孔を閉塞する閉塞板部の箇所に、光が通過するに足る寸法の直径を有する貫通孔が設けられ、
前記光漏洩部は前記貫通孔で構成されている、
請求項９記載のプロジェクタ装置。
【請求項１２】
前記光漏洩部から漏れる光は前記映像投影部から出射される光の一部であり、
前記シャッターの前記閉塞位置で前記映像投影部から出射される光を点滅させる制御部が設けられている、
請求項１記載のプロジェクタ装置。
【請求項１３】
前記光漏洩部から漏れる光は前記映像投影部から出射される光の一部であり、
前記シャッターの前記閉塞位置で前記映像投影部から出射される光を赤色の一色とする制御部が設けられている、
請求項１記載のプロジェクタ装置。
【請求項１４】
前記光漏洩部から漏れる光は前記映像投影部から出射される光の一部であり、
前記シャッターの前記閉塞位置で前記映像投影部から出射される光を赤色の一色として点滅させる制御部が設けられている、
請求項１記載のプロジェクタ装置。
【請求項１５】
前記ケースは、前記開口部が形成された前面と、上方を向いた上面とを有し、
前記光は、前記ケースの前面の箇所から前方に向けてまたは上面の箇所から上方に向けて漏れる、
請求項１記載のプロジェクタ装置。
【発明の詳細な説明】
【技術分野】
【０００１】
本発明はプロジェクタ装置に関する。
【背景技術】
【０００２】
ケースと、ケースの内部に設けられた光源と、ケースに設けられた開口部と、光源の光から画像投影光束を生成して開口部から出射し画像をスクリーンに投影する映像投影部とを備えるプロジェクタ装置が提供されている。
このようなプロジェクタ装置を用いる際、使用上の都合によりスクリーンに対する画像の投影を一時的に停止させたい場合がある。
そこで、開口部を閉塞、開放するシャッターを設けたプロジェクタ装置が種々提供されている（特許文献１、２、３参照）。
【先行技術文献】
【特許文献】
【０００３】
【特許文献１】特開平３−９４８８８
【特許文献２】特開平５−８５５６
【特許文献３】特開２００１−１７４９１０
【発明の概要】
【発明が解決しようとする課題】
【０００４】
それらの装置によれば、シャッターにより開口部を閉塞することによりスクリーンに対する画像の投影を一時的に停止させることができる。
この状態では、スクリーンは無表示の状態となる。
そのため、シャッターを閉塞したことを忘れてしまうと、プロジェクタ装置の電源がオフされた状態であると誤認し、電源スイッチを切り忘れることが考えられる。あるいは、プロジェクタ装置が故障していると誤認してしまうことが考えられる。
本発明はこのような事情に鑑みなされたものであり、その目的はシャッターが閉塞されていても動作状態にあることを確実に知らせることができ使い勝手の向上を図る上で有利なプロジェクタ装置を提供することにある。
【課題を解決するための手段】
【０００５】
上述の目的を達成するため、本発明のプロジェクタ装置は、ケースと、前記ケースの内部に設けられ電源の投入により発光する光源と、前記ケースに設けられた開口部と、前記光源の光から画像投影光束を生成して前記開口部から出射し画像をスクリーンに投影する映像投影部と、前記ケースに設けられ前記開口部を閉塞する閉塞位置と前記開口部を開放する開放位置とに移動されるシャッターとを備え、前記シャッターが前記閉塞位置に位置した状態で、前記光源の光の一部または前記映像投影部から出射される光の一部を前記ケースの外部に漏らし前記光源に前記電源が投入されている状態であることを知らしめる光漏洩部が設けられている。
【発明の効果】
【０００６】
本発明によれば、プロジェクタ装置の使用時、シャッターが閉塞位置に位置した状態で光源の光の一部または映像投影部から出射される光の一部が光漏洩部からケースの外方に漏れる。そのため、プロジェクタ装置が動作状態にあることが使用者にとって一目瞭然となる。
【図面の簡単な説明】
【０００７】
【図１】第１の実施の形態のプロジェクタ装置１０を前方から見た斜視図である。
【図２】第１の実施の形態のプロジェクタ装置１０を後方から見た斜視図である。
【図３】第１の実施の形態のプロジェクタ装置１０の正面図である。
【図４】第１の実施の形態のプロジェクタ装置１０の平面図である。
【図５】図４のＡ矢視図である。
【図６】第１の実施の形態のプロジェクタ装置１０の構成を示すブロック図である。
【図７】第１の実施の形態のプロジェクタ装置１０の光学系の構成を示す構成図である。
【図８】第１の実施の形態のプロジェクタ装置１０の光漏洩部６０を説明する断面図である。
【図９】第１の実施の形態のプロジェクタ装置１０の光漏洩部６０を説明する正面図である。
【図１０】第２の実施の形態のプロジェクタ装置１０の光漏洩部６０を説明する断面図である。
【図１１】第２の実施の形態のプロジェクタ装置１０の光漏洩部６０を説明する正面図である。
【図１２】第３の実施の形態のプロジェクタ装置１０の光漏洩部６０を説明する断面図である。
【図１３】第３の実施の形態のプロジェクタ装置１０の光漏洩部６０を説明する正面図である。
【図１４】第４の実施の形態のプロジェクタ装置１０の光漏洩部６０を説明する断面図である。
【図１５】第４の実施の形態のプロジェクタ装置１０の光漏洩部６０を説明する正面図である。
【図１６】第５の実施の形態のプロジェクタ装置１０においてシャッター１６を開放位置に位置させた状態でのシャッター操作部材１８を示す断面図である。
【図１７】図１６のＡ矢視図である。
【図１８】第５の実施の形態のプロジェクタ装置１０においてシャッター１６を閉塞位置に位置させた状態でのシャッター操作部材１８を示す断面図である。
【図１９】図１８のＡ矢視図である。
【発明を実施するための形態】
【０００８】
（第１の実施の形態）
次に、本発明の第１の実施の形態について図１乃至図７を参照して説明する。
図１乃至図５に示すように、プロジェクタ装置１０は、ケース１２と光漏洩部６０Ａを含んで構成されている。
ケース１２は、高さと、高さよりも大きな寸法の長さと、長さよりも大きな寸法の幅とを有し、扁平な矩形板状に形成されている。
ケース１２は、前壁１２Ａ、後壁１２Ｂ、上壁１２Ｃ、下壁１２Ｄ、左右の側壁１２Ｅ、１２Ｆとを備えている。なお、本実施の形態では、プロジェクタ装置１０をスクリーン側から見た状態で、スクリーン側を前方、その反対側を後方とし、左右はプロジェクタ装置１０を前方から見た状態でいうものとする。
【０００９】
図１、図３に示すように、前壁１２Ａに、幅方向の中央よりも右側壁１２Ｆ寄りの箇所に開口部１４が設けられている。
ケース１２の内部で開口部１４の後方の箇所には後述するシャッター１６が設けられ、シャッター１６の後方に投影光学系５６（図７参照）が設けられている。
シャッター１６は、開口部１４を閉塞する閉塞位置と、開口部１４を開放する開放位置とに移動されるものである。
このようなシャッター１６の構造としては、１枚の羽根で構成されたもの、あるいは、複数枚の羽根で構成されたものなど従来公知のさまざまな構成が採用可能である。
図４に示すように、上壁１２Ｃの幅方向の中央よりも右側壁１２Ｆ寄りの箇所に、シャッター用操作部材１８、フォーカスリング２０、ズームリング２２が前後方向に間隔をおいてこの順番で前方から後方に並べて設けられている。
さらに、フォーカスリング２２の後方には、操作スイッチ２４、メニュースイッチ２６、入力選択スイッチ２８、ランプ／カバーインジケータ３０、電源スイッチ３２が前後方向に間隔をおいてこの順番で前方から後方に並べて設けられている。
【００１０】
シャッター用操作部材１８はシャッター１６を手動で開閉する際に操作するものである。
フォーカスリング２０は、投影光学系５６の焦点距離を調整しスクリーン上に投影される映像のピント調整を行う際に回転操作するものである。
ズームリング２２は、投影光学系５６の倍率を調整しスクリーン上に投影される映像の倍率調整を行う際に回転操作するものである。
操作スイッチ２４は、スクリーン上に投影されるメニュー画面に表示されるカーソルを動かす際に操作するものである。
メニュースイッチ２６は、スクリーン上にメニュー画面を表示させ、あるいは、メニュー画面の表示を停止する際に操作するものである。
入力選択スイッチ２８は、プロジェクタ装置１０に入力される複数の画像信号を切り換える際に操作するものである。
ランプ／カバーインジケータ３０は、後述する光源（図７参照）のカバーが外れていること、あるいは、光源の交換時期が来ていること、あるいは、光源の温度が所定温度よりも高いことを表示する際に点滅する。
電源スイッチ３２は、プロジェクタ装置１０の電源のオン、オフを行うものであり、電源オン時には電源スイッチ３２自体が例えば緑色の光で点灯する。
【００１１】
なお、図２において符号１２０２は、プロジェクタ装置１０を載置面に載置するために下壁１２Ｄの後方寄りで幅方向の中央に設けられた脚部を示している。
また、符号１２０４はプロジェクタ装置１０を載置面に載置した状態でプロジェクタ装置１０を上下に揺動する２つの調整ねじを示す。これら調整ねじ１２０４を調整することにより、投影光学系５６の光軸を上下に変位させてスクリーン上に投影される映像の位置を調整する。
また、符号３４は、パーソナルコンピュータなどの外部装置から供給される画像信号を入力するための外部信号入力コネクタを示す。
【００１２】
図６に示すように、プロジェクタ装置１０は、さらに、操作部４０と、制御部４２と、光源４４と、映像投影部４６を含んで構成されている。
操作部４０は、操作スイッチ２４、メニュースイッチ２６、入力選択スイッチ２８、ランプ／カバーインジケータ３０、電源スイッチ３２を含んで構成されている。
制御部４０は、操作部４２の操作に基づいて、光源４４、映像投影部４６の制御を行うものである。
制御部４０は、例えば、ＣＰＵ、制御プログラムなどを格納するＲＯＭ、ワーキングエリアを提供するＲＡＭ、周辺回路とのインタフェースをとるインタフェース部などがバスによって接続されたマイクロコンピュータによって構成されている。制御部４０は、前記ＣＰＵが制御プログラムを実行することにより機能する。
詳細には、制御部４０は、外部信号入力コネクタ３４から供給される画像信号に対して必要な信号処理を行い、赤、緑、青の３色の画像情報を生成し、これら各画像情報を映像投影部４６に供給することでスクリーン２に映像を表示する。
また、制御部４０は、メニュー画面を構成する画像情報を映像投影部４６に供給することでスクリーン２に映像を表示する。
【００１３】
次に、光源４４と、映像投影部４６について説明する。
図７に示すように、光源４４は、ランプ４４Ａおよび不図示の電源部などを含んで構成されている。
光源４４はケース１２の内部に配置され、電源スイッチ３２の投入により発光する。
ランプ４４Ａは、前記電源部から供給される電源によって駆動され光を出射するものであり、可視域でスペクトルを有する光を照射する白色光源が用いられる。
このような白色光源として、キセノンランプ、高圧水銀ランプ、メタルハライドランプなどの連続スペクトルの光源、あるいは、ＬＥＤ光源のような離散スペクトルの光源など従来公知のさまざまな光源を用いることができる。
ランプ４４Ａは、例えば、放物面リフレクタ等を有しており、ランプ４４Ａから出射される光は略平行光となっている。
【００１４】
映像投影部４６は、光源４４の光から画像投影光束を生成して開口部１４から出射し画像をスクリーン２に投影するものである。
映像投影部４６は、図６に示すように、照明光学部４８、分離部５０、画像変調部５２、画像合成部５４、投影光学系５６を含んで構成され、映像投影部４６はケース１２の内部に配置されている。
図７に示すように、照明光学部４８は、光源４４から出射された光束の一部をカットし該光束の照度を均一として分離部５０に導くものである。
本実施の形態では、照明光学部４８は、紫外線および赤外線をカットする紫外線、赤外線カットフィルタ４８Ａ、光束の照度を均一化するための２枚のフライアイレンズ４８Ｂ、４８Ｃ、偏光変換素子４８Ｄ、コンデンサーレンズ４８Ｅなどを含んで構成されている。
なお、紫外線、赤外線カットフィルタ４８Ａによって光源４４から出射された光束に含まれる紫外線および赤外線をカットすることで、分離部５０、画像変調部５２、画像合成部５４、投影光学系５６を構成する各種光学部品の加熱や劣化の防止が図られている。
【００１５】
分離部５０は、照明光学部４８から導かれた照度が均一化された光束（白色光）を赤色（Ｒ）、緑色（Ｇ）、青色（Ｂ）の３色の光束に分離するものである。
分離部５０は、例えば、複数のダイクロイックミラーなどを含んで構成されている。
詳細に説明すると、本実施の形態では、分離部５０は、第１、第２のダイクロイックミラー５００２、５００４、第１乃至第３のミラー５００６、５００８、５０１０で構成されている。
第１のダイクロイックミラー５００２は、照明光学部４８から導かれた光束のうち、赤色（Ｒ）および緑色（Ｇ）の光束を透過し、かつ、青色（Ｂ）の光束を反射するように構成されている。
第２のダイクロイックミラー５００４は、第１のダイクロイックミラー５００２を透過した赤色（Ｒ）および緑色（Ｇ）の光束のうち、赤色（Ｒ）の光束を透過し、かつ、緑色（Ｇ）の光束を反射するように構成されている。
したがって、照明光学部４８から第１のダイクロイックミラー５００２に導かれた光束は、第１のダイクロイックミラー５００２により、青色（Ｂ）の光束と、赤色（Ｒ）および緑色（Ｇ）の光束との２つの光束に分離される。
第１のダイクロイックミラー５００２で分離された青色（Ｂ）の光束は第１のミラー５００６によって反射される。
第１のダイクロイックミラー５００２で分離された赤色（Ｒ）および緑色（Ｇ）の光束のうち、緑色（Ｇ）の光束は第２のダイクロイックミラー５００４に至る。
第１のダイクロイックミラー５００２で分離された赤色（Ｒ）および緑色（Ｇ）の光束のうち、赤色（Ｒ）の光束は第２のダイクロイックミラー５００４を透過し第２のミラー５００８を介して第３のミラー５０１０に至りこの第３のミラー５０１０で反射される。
このようにして分離部５０で分離された赤色（Ｒ）、緑色（Ｇ）、青色（Ｂ）の光束が分離部５０から画像変調部５２に向けてそれぞれ出射される。
なお、分離部５０は照明光学部４８から導かれた光束（白色光）を赤色（Ｒ）、緑色（Ｇ）、青色（Ｂ）の３色の光束に分離する機能を有するものであればよく、分離部５０として従来公知のさまざまな構成が採用可能であることは無論である。
【００１６】
画像変調部５２は、分離部５０から導かれる赤色（Ｒ）、緑色（Ｇ）、青色（Ｂ）の３つの光束をそれぞれ前記画像情報に基づいて変調し、画像合成部５４に供給するものであ
る。
画像変調部５２は、赤色（Ｒ）、緑色（Ｇ）、青色（Ｂ）の３つの光束のそれぞれに対応した第１乃至第３の画像変調素子５２Ｒ、５２Ｇ、５２Ｂを有している。
本実施の形態では、第１乃至第３の画像変調素子５２Ｒ、５２Ｇ、５２Ｂは、透過型の液晶表示装置（液晶ライトバルブ）で構成されている。
前記液晶表示装置は、液晶層を封止する２枚の透明基板を有する液晶表示装置本体と、液晶表示装置本体に組み込まれた偏光板とを含んで構成されている。
第１乃至第３の画像変調素子５２Ｒ、５２Ｇ、５２Ｂは、画像が表示される表示面が形成されている。
第１乃至第３の画像変調素子５２Ｒ、５２Ｇ、５２Ｂは、前述した制御部４２から供給される赤、緑、青の３色の画像情報に対応する映像信号（駆動信号）が供給されることで画像を表示面に表示させる。
分離部５０から画像変調部５２に出射された赤色（Ｒ）の光束は、第１の画像変調素子５２Ｒに照射されこの第１の画像変調素子５２Ｒを透過することで前記画像情報に基づいて変調された後、画像合成部５４に導かれる。
分離部５０から画像変調部５２に出射された緑色（Ｇ）の光束は、第２の画像変調素子５２Ｇに照射されこの第２の画像変調素子５２Ｇを透過することで前記画像情報に基づいて変調された後、画像合成部５４に導かれる。
分離部５０から画像変調部５２に出射された青色（Ｂ）の光束は、第３の画像変調素子５２Ｂに照射されこの第３の画像変調素子５２Ｂを透過することで前記画像情報に基づいて変調された後、画像合成部５４に導かれる。
なお、第１乃至第３の画像変調素子５２Ｒ、５２Ｇ、５２Ｂは、透過型の液晶表示装置のほか、反射型の液晶表示装置を用いてもよく、従来公知のさまざまな画像表示装置を用いることができる。また、前記画像表示部は、前記の液晶表示装置を用いたものに限定されず、従来公知の様々な方式のものが採用可能である。
【００１７】
画像合成部５４は、画像変調部５２によって変調された赤色（Ｒ）、緑色（Ｇ）、青色（Ｂ）の３つの光束を合成することで１つの画像投影光束を生成し、その画像投影光束を投影光学系５６に導くものである。
本実施の形態では、画像合成部５４は、クロスプリズム５４Ａで構成されている。
クロスプリズム５４Ａは、第１乃至第３の画像変調素子５２Ｒ、５２Ｇ、５２Ｂからの光束が入射される互いに直交する３つの入射面５４０２、５４０４、５４０６を有している。
また、クロスプリズム５４Ａは、赤色（Ｒ）、緑色（Ｇ）、青色（Ｂ）の３つの光束を合成することで生成した画像投影光束を出射する出射面５４０８を備えている。
また、画像合成部５４は赤色（Ｒ）、緑色（Ｇ）、青色（Ｂ）の３つの光束を合成することで１つの画像投影光束を生成するものであればよく、クロスプリズム５４Ａに限定されず、従来公知のさまざまな光学素子を用いることができる。
【００１８】
投影光学系５６は、画像合成部５４から導かれた前記画像投影光束を入射してスクリーン２に投射するものであり、複数のレンズを含んで構成されている。
投影光学系５６のうち対物レンズ５６Ａが最も前方に位置し、対物レンズ５６Ａはシャッター１６の後方に配置されている。
対物レンズ５６Ａを含む投影光学系５６の一部のレンズは、鏡筒５８により光軸方向に移動可能に支持されている。
【００１９】
光漏洩部６０Ａの構成を図８、図９に示す。
光漏洩部６０Ａは、シャッター１６が前記閉塞位置に位置した状態で、光源４４の光の一部または映像投影部４６から出射される光の一部をケース１２の外部に漏らす。これにより、光源４４を含むプロジェクタ装置１０に電源が投入されている状態であることを知らしめるためのものである。
本実施の形態では、光漏洩部６０Ａは、開口部１４の縁とシャッター１６との間に形成された隙間で構成され、映像投影部４６から出射される光の一部を隙間からケース１２の前壁１２Ａの前方に漏らすように設けられている。
光漏洩部６０Ａは、シャッター１６の外周部に形成された切り欠き１６０２と、開口部１４の縁１４１０とで形成された隙間で構成されている。
【００２０】
第１の実施の形態によれば、プロジェクタ装置１０によって映像をスクリーン２に投影している際に、シャッター１６を閉塞位置に位置させると、スクリーン２に対する映像の投影が一時的に停止される。
その際、シャッター１６が閉塞位置に位置した状態で映像投影部４６から出射される光の一部が光漏洩部６０Ａからケース１２の前壁１２Ａの前方に漏れる。
しかしながら、光漏洩部６０Ａから漏れる光の量は僅かなものであるため、スクリーン２には明確なスポットや映像が形成されることはない。
しかも、光漏洩部６０Ａから漏れる光により、プロジェクタ装置１０が動作状態にあることが使用者にとって一目瞭然となる。
特に、ケース１２の前壁１２Ａの前方に光が漏れるので、プロジェクタ装置１０が動作状態にあることが使用者に極めて判りやすい。すなわち、プロジェクタ装置１０の左右側方や後方に物が置かれる場合があっても、映像が投影されるプロジェクタ装置１０の前方に物が置かれることはないためである。
したがって、スクリーン２に対する映像の投影を一時的に停止した状態を、プロジェクタ装置１０の電源がオフされた状態であると誤認して電源スイッチ３２を切り忘れてしまうことがない。あるいは、スクリーン２に対する映像の投影を一時的に停止した状態を、プロジェクタ装置１０が故障していると誤認してしまうこともない。
言い換えると、シャッター１６が閉塞位置にあってもプロジェクタ装置１０が動作状態にあることを確実に知らせることができ、プロジェクタ装置１０の使い勝手の向上を図る上で有利となる。
また、光漏洩部６０Ａは極めて簡単な構成であるため、低コスト化および小型化を図る上でも有利となる。
【００２１】
（第２の実施の形態）
次に第２の実施の形態について説明する。
図１０、図１１に示すように、シャッター１６は開口部１４よりも小さい面積で円形に形成されている。
光漏洩部６０Ｂは、前記閉塞位置において、シャッター１６の外周部１６１０と開口部１４の縁１４１０との間に形成される環状の隙間で構成されている。
第２の実施の形態では、プロジェクタ装置１０によって映像をスクリーン２に投影している際に、シャッター１６を閉塞位置に位置させると、スクリーン２に対する映像の投影が一時的に停止される。
その際、シャッター１６が閉塞位置に位置した状態で映像投影部４６から出射される光の一部が光漏洩部６０Ｂからケース１２の前壁１２Ａの前方に漏れる。
したがって、このような第２の実施の形態においても第１の実施の形態と同様の効果が奏される。
なお、光が通過するに足る寸法の直径を有する貫通孔をシャッター１６の外周部に単数あるいは複数設け、これら貫通孔で光漏洩部６０Ｂを構成してもよい。
あるいは、光が通過するに足る寸法の直径を有する貫通孔をケース１２の前壁１２Ａの開口部１４の周囲の箇所に単数あるいは複数設け、これら貫通孔で光漏洩部６０Ｂを構成してもよい。
【００２２】
（第３の実施の形態）
次に第３の実施の形態について説明する。
図１２、図１３に示すように、光漏洩部６０Ｃは、開口部１４の縁に形成された切り欠き部１４０４と、シャッター１６の外周部１６０４とで形成された隙間で構成されている。
第３の実施の形態では、プロジェクタ装置１０によって映像をスクリーン２に投影している際に、シャッター１６を閉塞位置に位置させると、スクリーン２に対する映像の投影が一時的に停止される。
その際、シャッター１６が閉塞位置に位置した状態で映像投影部４６から出射される光の一部が光漏洩部６０Ｃからケース１２の前壁１２Ａの前方に漏れる。
したがって、このような第３の実施の形態においても第１の実施の形態と同様の効果が奏される。
【００２３】
（第４の実施の形態）
次に第４の実施の形態について説明する。
図１４、図１５に示すように、シャッター１６の一部に、光を透過する材料で形成されシャッター１６が前記閉塞位置に位置した状態で映像投影部４６から出射される光の一部をケース１２の外部に漏らす光透過部６２が設けられている。
本実施の形態では、光透過部６２はシャッター１６の外周に沿って円環状に形成されている。
光漏洩部６０Ｄは光透過部６２で構成されている。
光透過部６２は、半透明材料、言い換えると、光を減光させつつ透過する材料で構成することができ、このような半透明材料として従来公知のさまざまな材料が採用可能である。
第４の実施の形態では、プロジェクタ装置１０によって映像をスクリーン２に投影している際に、シャッター１６を閉塞位置に位置させると、スクリーン２に対する映像の投影が一時的に停止される。
その際、シャッター１６が閉塞位置に位置した状態で映像投影部４６から出射される光の一部が光漏洩部６０Ｄからケース１２の前壁１２Ａの前方に漏れる。
したがって、このような第４の実施の形態においても第１の実施の形態と同様の効果が奏される。
【００２４】
（第５の実施の形態）
次に第５の実施の形態について説明する。
第５の実施の形態は、シャッター用操作部材１８に光漏洩部６０を設けた点が第１乃至第４の実施の形態と異なっている。
図１６乃至図１９に示すように、ケース１２に、シャッター１６を閉塞位置と開放位置との間で移動させるシャッター用操作部材１８が設けられている。
ケース１２の上壁１２Ｃに長孔６４が形成されている。
本実施の形態では、シャッター用操作部材１８および長孔６４は、映像投影部４６から出射される光の一部が通る箇所に設けられている。
【００２５】
シャッター用操作部材１８は、ケース１２の内部に位置しシャッター１６に連結される内部部分１８Ａと、内部部分１８Ａから突設され長孔６４を貫通してケース１２の上方に突出する操作部１８Ｂとを備えている。
内部部分１８Ａに、閉塞位置で長孔６４を閉塞する閉塞板部１８Ｃが設けられている。
閉塞位置で長孔６４を閉塞する閉塞板部１８Ｃの箇所に、光を透過する材料で形成され映像投影部４６から出射される光の一部をケース１２の上壁１２Ｃの上方に漏らす光透過部６６が設けられている。
光漏洩部６０Ｅは光透過部６６で構成されている。
光透過部６６は、第４の実施の形態の光透過部６２と同様に、半透明材料、言い換えると、光を減光させつつ透過する材料で構成することができ、このような半透明材料として従来公知のさまざまな材料が採用可能である。
本実施の形態では、内部部分１８Ａのうち閉塞板部１８Ｃを除く部分は、光を遮断する材料で形成されている。
【００２６】
第５の実施の形態では、図１６、図１７に示すように、シャッター１６を開放位置に位置させると、長孔６４は、内部部分１８Ａのうち閉塞板部１８Ｃを除く部分で閉塞され、この状態でプロジェクタ装置１０によって映像がスクリーン２に投影される。
したがって、プロジェクタ装置１０が動作している状態で、長孔６４の内側は内部部分１８Ａによって光が遮断される。
プロジェクタ装置１０によって映像をスクリーン２に投影している際に、図１８、図１９に示すように、シャッター１６を閉塞位置に位置させると、スクリーン２に対する映像の投影が一時的に停止される。
そして、長孔６４は、内部部分１８Ａのうち閉塞板部１８Ｃで閉塞される。
したがって、プロジェクタ装置１０が動作している状態で、映像投影部４６から出射される光の一部が光漏洩部６０Ｅからケース１２の上壁１２Ｃの上方に漏れる。
したがって、このような第４の実施の形態においても第１の実施の形態と同様の効果が奏される。
特に、ケース１２の上壁１２Ｃの上方に光が漏れるので、プロジェクタ装置１０が動作状態にあることが使用者に極めて判りやすい。すなわち、プロジェクタ装置１０の左右側方や後方に物が置かれる場合があっても、映像が投影されるプロジェクタ装置１０の上方に物が置かれることはないためである。
なお、第５の実施の形態では、光漏洩部６０Ｅが映像投影部４６から出射される光の一部をケース１２の外方に漏らし場合について説明したが、光漏洩部６０Ｅが光源４４の光の一部をケース１２の外方に漏らすように設けられていてもよいことは無論である。
また、光漏洩部６０Ｅを半透明材料で形成する代わりに、光を通過するに足る寸法の直径を有する貫通孔を閉塞板部１８Ｃの箇所に単数あるいは複数個設け、これら貫通孔で光漏洩部６０Ｅを構成してもよい。
【００２７】
（第６の実施の形態）
次に第６の実施の形態について説明する。
第６の実施の形態は、シャッター１６の閉塞位置において、映像投影部４６から出射させる光を点滅あるいは光を特定の色とする点が第１乃至第５の実施の形態と異なっている。
以下では、第６の実施の形態を第１の実施の形態の構成に適用した場合について説明するが、第６の実施の形態は第１乃至第５の実施の形態の構成の何れにも適用可能である。
図６を流用して説明すると、プロジェクタ装置１０は、シャッター１６が開放位置および閉塞位置の何れに位置しているかを検出しその検出結果を制御部４２に供給するシャッター位置検出器６８を有している。
このようなシャッター位置検出器６８としては、マイクロスイッチやフォトインタラプタなど従来公知のさまざまな検出器が採用可能である。
制御部４２は、プロジェクタ装置１０が動作中であり、プロジェクタ装置１０の内部において、例えば、温度が異常な高温となるなど、使用者に警告すべき状況が発生した場合、映像投影部４６を制御することにより、警告メッセージをスクリーン２上に表示する。
このような警告表示動作は、シャッター１６が開放位置に位置している場合には有効であるが、シャッター１６が閉塞位置に位置している場合には、警告メッセージをスクリーン２上に表示することができない。
【００２８】
そこで、本実施の形態では、制御部４２は、シャッター位置検出器６８によりシャッター１６が閉塞位置に位置したことを検出した状態で使用者に警告すべき状況が発生した場合に、以下に説明する第１乃至第３の警告動作の何れかを行う。
第１の警告動作は、映像投影部４６を制御して映像投影部４６から出射される光を点滅させるものである。
第１の警告動作を行うことにより、光漏洩部６０Ａから漏れる光を点滅させることで使用者に確実かつ速やかに異常発生を知らせる上で有利となる。
また、この際、警告動作を開始してから時間が経過するほど、光が点滅する間隔を短くすると、言い換えると、光が点滅する速度を高速にすると、使用者が警告に気が付きやすくなり、使用者に確実かつ速やかに異常発生を知らせる上で有利となる。
【００２９】
第２の警告動作は、映像投影部４６を制御して映像投影部４６から出射される光を赤色の一色とするものである。
第２の警告動作を行うことにより、光漏洩部６０Ａから赤色の光が漏れることで使用者に確実かつ速やかに異常発生を知らせる上で有利となる。
特に、外部装置からの画像信号の入力が停止した際に、そのことを使用者に知らせるために、映像投影部４６から灰色一色の光または青色一色の光を出射させ、スクリーン２に灰色または青色を表示させることが一般的に行われている。
したがって、灰色や青色とは異なる赤色の光が出射されることで、使用者が警告に気が付きやすくなり、使用者に確実かつ速やかに異常発生を知らせる上でより有利となる。
【００３０】
第３の警告動作は、映像投影部４６を制御して映像投影部４６から出射される光を赤色の一色として点滅させるものである。
第３の警告動作を行うことにより、光漏洩部６０Ａから赤色の光が漏れると共に該光が点滅することで使用者に確実かつ速やかに異常発生を知らせる上で有利となる。
また、この際、警告動作を開始してから時間が経過するほど、光が点滅する間隔を短くすると、言い換えると、光が点滅する速度を高速にすると、使用者が警告に気が付きやすくなり、使用者に確実かつ速やかに異常発生を知らせる上でより有利となる。
なお、第２、第３の警告動作の場合、映像投影部４６から出射する光の色は、赤色に限定されるものではなく、例えば、オレンジ色や黄色のように灰色および青色と明確に異なる色の光であってもよい。
しかしながら、実施の形態のように赤色の光とすれば、視覚上使用者が警告に気が付きやすくなり、使用者に確実かつ速やかに異常発生を知らせる上でより有利となる。
なお、光漏洩部６０Ａ乃至６０Ｄは、光源４４から出射される光の一部、あるいは、映像投影部４６から出射される光の一部をケース１２の外部に漏らすことができればよく、光漏洩部の位置、形状、大きさは任意である。
【符号の説明】
【００３１】
１０……プロジェクタ装置、１２……ケース、１４……開口部、１６……シャッター、４４……光源、４６……映像投影部、６０Ａ、６０Ｂ、６０Ｃ、６０Ｄ、６０Ｅ……光漏洩部。
【図１】
2010175605.tif 000003
【図２】
2010175605.tif 000004
【図３】
2010175605.tif 000005
【図４】
2010175605.tif 000006
【図５】
2010175605.tif 000007
【図６】
2010175605.tif 000008
【図７】
2010175605.tif 000009
【図８】
2010175605.tif 000010
【図９】
2010175605.tif 000011
【図１０】
2010175605.tif 000012
【図１１】
2010175605.tif 000013
【図１２】
2010175605.tif 000014
【図１３】
2010175605.tif 000015
【図１４】
2010175605.tif 000016
【図１５】
2010175605.tif 000017
【図１６】
2010175605.tif 000018
【図１７】
2010175605.tif 000019
【図１８】
2010175605.tif 000020
【図１９】
2010175605.tif 000021